(57)【要約】【課題】移動局（受信装置）の移動状況や移動局の変調方式（変調クラス）に応じて適切に受信アンプのゲイン設定を行うことができる受信装置および受信制御方法を提供する。【解決手段】適応変調方式を用いた通信を行い、アンテナ１０で受信されたアナログ信号をデジタル変換して復調する、本発明の移動局における受信装置では、移動局の移動速度が所定の閾値以上で、かつ、移動局の変調方式が所定の変調方式以上の場合、前記アナログ信号の受信電界強度に基づいて受信アンプのゲインを制御する第１の受信アンプ制御手段によって受信アンプ１６のゲインを制御し、移動局の移動速度が所定の閾値未満で、かつ、移動局の変調方式が所定の変調方式未満の場合、前記アナログ信号をデジタル変換した受信信号の受信電界強度に基づいて前記受信アンプのゲインを制御する第２の受信アンプ制御手段によって受信アンプ１６のゲインを制御する。【選択図】図１
2008211566.tif 000002
【特許請求の範囲】
【請求項１】
移動局において、アンテナで受信されたアナログ信号をデジタル変換して復調する受信制御方法であって、
前記移動局の移動速度を把握する第１ステップと、
把握した前記移動速度が所定の閾値以上である場合には、前記アンテナで受信されたアナログ信号の受信電界強度に基づいて受信アンプのゲインを制御し、前記移動速度が前記所定の閾値未満である場合には、前記アナログ信号をデジタル変換して当該デジタル変換された受信信号の受信電界強度に基づいて前記受信アンプのゲインを制御する第２ステップと、を含むことを特徴とする受信制御方法。
【請求項２】
適応変調方式を用いた通信を行う通信装置において、アンテナで受信されたアナログ信号をデジタル変換して復調する受信制御方法であって、
前記通信装置の変調方式を把握する第１ステップと、
把握した前記変調方式が所定の多値数に満たない変調方式である場合には、前記アンテナで受信されたアナログ信号の受信電界強度に基づいて受信アンプのゲインを制御し、前記変調方式が前記所定の多値数を超える変調方式である場合には、前記アナログ信号をデジタル変換して当該デジタル変換された受信信号の受信電界強度に基づいて前記受信アンプのゲインを制御する第２ステップと、を含むことを特徴とする受信制御方法。
【請求項３】
適応変調方式を用いた通信を行う移動局において、アンテナで受信されたアナログ信号をデジタル変換して復調する受信制御方法であって、
前記移動局の移動速度および変調方式を把握する第１ステップと、
把握した前記移動速度が所定の閾値以上で、かつ、前記移動局の変調方式が所定の多値数に満たない変調方式である場合には、前記アンテナで受信されたアナログ信号の受信電界強度に基づいて受信アンプのゲインを制御し、前記移動速度が前記所定の閾値未満で、かつ、前記移動局の変調方式が前記所定の多値数を超える変調方式である場合には、前記アナログ信号をデジタル変換して当該デジタル変換された受信信号の受信電界強度に基づいて前記受信アンプのゲインを制御する第２ステップと、を含むことを特徴とする受信制御方法。
【請求項４】
アンテナで受信されたアナログ信号をデジタル変換して復調する、移動局における受信装置において、
前記アンテナで受信されたアナログ信号の受信電界強度に基づいて受信アンプのゲインを制御する第１の受信アンプ制御手段と、
前記アンテナで受信されたアナログ信号をデジタル変換して当該デジタル変換された受信信号の受信電界強度に基づいて前記受信アンプのゲインを制御する第２の受信アンプ制御手段と、
前記移動局の移動速度に関する情報を取得する移動速度取得手段と、
取得した前記移動速度に関する情報に基づき、前記移動速度が所定の閾値以上である場合には、前記第１の受信アンプ制御手段によって前記受信アンプのゲインを制御し、前記移動速度が前記所定の閾値未満である場合には、前記第２の受信アンプ制御手段によって前記受信アンプのゲインを制御する、受信アンプ制御切換手段と、を備えることを特徴とする受信装置。
【請求項５】
適応変調方式を用いた通信を行い、アンテナで受信されたアナログ信号をデジタル変換して復調する受信装置において、
前記アンテナで受信されたアナログ信号の受信電界強度に基づいて受信アンプのゲインを制御する第１の受信アンプ制御手段と、
前記アンテナで受信されたアナログ信号をデジタル変換して当該デジタル変換された受信信号の受信電界強度に基づいて前記受信アンプのゲインを制御する第２の受信アンプ制御手段と、
前記移動局の変調方式に関する情報を取得する変調方式取得手段と、
取得した前記変調方式が所定の多値数に満たない変調方式である場合には、前記第１の受信アンプ制御手段によって前記受信アンプのゲインを制御し、前記変調方式が前記所定の多値数を超える変調方式である場合には、前記第２の受信アンプ制御手段によって前記受信アンプのゲインを制御する、受信アンプ制御切換手段と、を備えることを特徴とする受信装置。
【請求項６】
適応変調方式を用いた通信を行い、アンテナで受信されたアナログ信号をデジタル変換して復調する、移動局における受信装置において、
前記アンテナで受信されたアナログ信号の受信電界強度に基づいて受信アンプのゲインを制御する第１の受信アンプ制御手段と、
前記アンテナで受信されたアナログ信号をデジタル変換して当該デジタル変換された受信信号の受信電界強度に基づいて前記受信アンプのゲインを制御する第２の受信アンプ制御手段と、
前記移動局の移動速度に関する情報を取得する移動速度取得手段と、
前記移動局の変調方式に関する情報を取得する変調方式取得手段と、
取得した前記移動速度が所定の閾値以上で、かつ、取得した前記変調方式が所定の多値数に満たない変調方式である場合には、前記第１の受信アンプ制御手段によって前記受信アンプのゲインを制御し、取得した前記移動速度が前記所定の閾値未満で、かつ、取得した前記変調方式が前記所定の多値数を超える変調方式である場合には、前記第２の受信アンプ制御手段によって前記受信アンプのゲインを制御する、受信アンプ制御切換手段と、を備えることを特徴とする受信装置。
【請求項７】
前記第１の受信アンプ制御手段には、ループフィルタが備えられ、
前記移動速度取得手段で取得した前記移動速度が所定の閾値以上である場合には、前記ループフィルタの時定数が相対的に小さくなるように制御され、前記移動速度が所定の閾値未満である場合には、前記ループフィルタの時定数が相対的に大きくなるように制御される、ことを特徴とする請求項４または６に記載の受信装置。
【請求項８】
前記第１の受信アンプ制御手段には、ループフィルタが備えられ、
前記変調方式取得手段で取得した前記変調方式が所定の多値数に満たない変調方式である場合には、前記ループフィルタの時定数が相対的に小さくなるように制御され、前記変調方式が所定の多値数を超える変調方式である場合には、前記ループフィルタの時定数が相対的に大きくなるように制御される、ことを特徴とする請求項５または６に記載の受信装置。
【発明の詳細な説明】
【技術分野】
【０００１】
本発明は、移動局や通信装置においてアンテナで受信されたアナログ信号をデジタル変換して復調する受信制御方法、および、アンテナで受信されたアナログ信号をデジタル変換して復調する受信装置に関するものである。
【背景技術】
【０００２】
アンテナで受信されたアナログ信号をデジタル変換して復調する受信装置の従来例としては、例えば図５，図６に示すものがある。
図５に示す従来例の受信装置は、ダイレクトコンバーション方式の受信装置として構成されており、アンテナ１００からの入力信号は、バンドパスフィルタ１０１およびアンプ１０２を通り、局発信号源１０４からの局発信号により、直交復調器１０３にてＩｃｈ，ｑｃｈのベースバンド信号にダウンコンバートされる。それぞれの信号は、ローパスフィルタ１０５および可変アンプ１０６を通過して、Ａ／Ｄコンバータ１０７にてディジタル信号に変換された後に、受信ベースバンド部（ＲＸＢＢ）１１２にて復調処理をされる。ＲＸＢＢ１１２にて受信レベルを計測して、ＣＯＮＴ部１１３より可変アンプ１０６にゲインデータを送り、このゲインデータに基づいて可変アンプ１０６を含む自動利得制御回路にて利得が設定される。
図６に示す従来例の受信装置は、スーパーへテロダイン方式の受信装置として構成されており、アンテナ１００からの入力信号は、バンドパスフィルタ１０１およびアンプ１０２を通り、局発信号源１０４およびミキサ１１３にて１次ＩＦ信号に変換される。その後、ローパスフィルタ１０５を通過して可変アンプ１０６にて適正なレベルまで増幅された後に、再度ミキサ１０８にて２次ＩＦ信号に変換される。この２次ＩＦ信号は、バンドバスフィルタ１１０を通過した後、Ａ／Ｄコンバータ１１１にてディジタル変換される。ＲＸＢＢ部１１２では、入力信号をベースバンド信号に変換した後に、復調を行う。ＲＸＢＢ部１１２で検出したＲＳＳＩレベルに応じて、ＣＯＮＴ部１１３より、ゲインデータを可変アンプ１０６に送り、このゲインデータに基づいて可変アンプ１０６を含む自動利得制御回路にて利得が設定される。
なお、自動利得制御回路の従来例としては、検出したフェージングピッチに基づくフィードバック制御により可変アンプの利得を設定する自動利得制御回路（例えば特許文献１参照）がある。
【０００３】
ＴＤＭＡ方式、ＴＤＤ方式の受信装置を含む移動局においては、上記図５，図６に示す従来例では、アンテナで受信されたアナログ信号を受信アンプで増幅し、増幅された受信信号をＡ／Ｄコンバータでデジタル変換した後、ベースバンド処理部において当該デジタル変換した受信信号の受信電界強度（ＲＳＳＩ：Received Signal Strength Indicator）を測定する。そして、当該測定された受信電界強度に基づいて、次の受信信号を増幅するための前記受信アンプのゲインを設定するフィードバック処理を行う。このような受信アンプのゲイン設定は、受信電界強度が測定された受信スロットの次のスロットにて行われる。
【０００４】
【特許文献１】特開２００１−２３０６４４号公報
【発明の開示】
【発明が解決しようとする課題】
【０００５】
しかしながら、当該移動局が高速で移動した場合には、当該移動局の受信装置で受信電界強度を測定した受信スロットの次のスロットを受信するまでに、受信電界強度が変動するため、受信電界強度に基づいて受信アンプのゲインを設定するようにしても、Ａ／Ｄコンバータのダイナミックレンジから外れてしまう頻度が極めて高くなる。また、スロット内では同一の利得（ゲイン）で設定しているため、スロット内のレベル変動に対応することが困難である。そのため、受信スロット間や受信スロット内部で受信レベルが変動した場合には、その内容をフィードバックループに反映させることができないため、受信レベルの変動の周期が早くなり、スロット内での変動があった場合には、アナログ信号からデジタル信号への適切な信号変換処理を行うことができず、受信性能の劣化を招くおそれがある。
そこで、上述した問題を回避するために、デジタル化された受信信号の受信電界強度の測定から受信アンプのゲインの設定までの一連の処理を高速化することが考えられるが、単に高速化を図るだけでは、演算量が増大するため、受信装置の処理負荷の増大を招いてしまう。
【０００６】
本発明は、移動局（受信装置）の移動状況や移動局の変調方式（変調クラス）に応じて適切に受信アンプのゲイン設定を行うことができる受信制御方法を提供することを第１の目的とする。
本発明は、移動局（受信装置）の移動状況や移動局の変調方式（変調クラス）に応じて適切に受信アンプのゲイン設定を行うことができる受信装置を提供することを第２の目的とする。
【課題を解決するための手段】
【０００７】
上記第１の目的を達成するため、請求項１に係る受信制御方法は、移動局において、アンテナで受信されたアナログ信号をデジタル変換して復調する受信制御方法であって、前記移動局の移動速度を把握する第１ステップと、把握した前記移動速度が所定の閾値以上である場合には、前記アンテナで受信されたアナログ信号の受信電界強度に基づいて受信アンプのゲインを制御し、前記移動速度が前記所定の閾値未満である場合には、前記アナログ信号をデジタル変換して当該デジタル変換された受信信号の受信電界強度に基づいて前記受信アンプのゲインを制御する第２ステップと、を含むことを特徴とする。
【０００８】
上記第１の目的を達成するため、請求項２に係る受信制御方法は、適応変調方式を用いた通信を行う通信装置において、アンテナで受信されたアナログ信号をデジタル変換して復調する受信制御方法であって、前記通信装置の変調方式を把握する第１ステップと、把握した前記変調方式が所定の多値数に満たない変調方式である場合には、前記アンテナで受信されたアナログ信号の受信電界強度に基づいて受信アンプのゲインを制御し、前記変調方式が前記所定の多値数を超える変調方式である場合には、前記アナログ信号をデジタル変換して当該デジタル変換された受信信号の受信電界強度に基づいて前記受信アンプのゲインを制御する第２ステップと、を含むことを特徴とする。
【０００９】
上記第１の目的を達成するため、請求項３に係る受信制御方法は、適応変調方式を用いた通信を行う移動局において、アンテナで受信されたアナログ信号をデジタル変換して復調する受信制御方法であって、前記移動局の移動速度および変調方式を把握する第１ステップと、把握した前記移動速度が所定の閾値以上で、かつ、前記移動局の変調方式が所定の多値数に満たない変調方式である場合には、前記アンテナで受信されたアナログ信号の受信電界強度に基づいて受信アンプのゲインを制御し、前記移動速度が前記所定の閾値未満で、かつ、前記移動局の変調方式が前記所定の多値数を超える変調方式である場合には、前記アナログ信号をデジタル変換して当該デジタル変換された受信信号の受信電界強度に基づいて前記受信アンプのゲインを制御する第２ステップと、を含むことを特徴とする。
【００１０】
上記第２の目的を達成するため、請求項４に係る受信装置は、アンテナで受信されたアナログ信号をデジタル変換して復調する、移動局における受信装置において、前記アンテナで受信されたアナログ信号の受信電界強度に基づいて受信アンプのゲインを制御する第１の受信アンプ制御手段と、前記アンテナで受信されたアナログ信号をデジタル変換して当該デジタル変換された受信信号の受信電界強度に基づいて前記受信アンプのゲインを制御する第２の受信アンプ制御手段と、前記移動局の移動速度に関する情報を取得する移動速度取得手段と、取得した前記移動速度に関する情報に基づき、前記移動速度が所定の閾値以上である場合には、前記第１の受信アンプ制御手段によって前記受信アンプのゲインを制御し、前記移動速度が前記所定の閾値未満である場合には、前記第２の受信アンプ制御手段によって前記受信アンプのゲインを制御する、受信アンプ制御切換手段と、を備えることを特徴とする。
【００１１】
上記第２の目的を達成するため、請求項５に係る受信装置は、適応変調方式を用いた通信を行い、アンテナで受信されたアナログ信号をデジタル変換して復調する受信装置において、前記アンテナで受信されたアナログ信号の受信電界強度に基づいて受信アンプのゲインを制御する第１の受信アンプ制御手段と、前記アンテナで受信されたアナログ信号をデジタル変換して当該デジタル変換された受信信号の受信電界強度に基づいて前記受信アンプのゲインを制御する第２の受信アンプ制御手段と、前記移動局の変調方式に関する情報を取得する変調方式取得手段と、取得した前記変調方式が所定の多値数に満たない変調方式である場合には、前記第１の受信アンプ制御手段によって前記受信アンプのゲインを制御し、前記変調方式が前記所定の多値数を超える変調方式である場合には、前記第２の受信アンプ制御手段によって前記受信アンプのゲインを制御する、受信アンプ制御切換手段と、を備えることを特徴とする。
【００１２】
上記第２の目的を達成するため、請求項６に係る受信装置は、適応変調方式を用いた通信を行い、アンテナで受信されたアナログ信号をデジタル変換して復調する、移動局における受信装置において、前記アンテナで受信されたアナログ信号の受信電界強度に基づいて受信アンプのゲインを制御する第１の受信アンプ制御手段と、前記アンテナで受信されたアナログ信号をデジタル変換して当該デジタル変換された受信信号の受信電界強度に基づいて前記受信アンプのゲインを制御する第２の受信アンプ制御手段と、前記移動局の移動速度に関する情報を取得する移動速度取得手段と、前記移動局の変調方式に関する情報を取得する変調方式取得手段と、取得した前記移動速度が所定の閾値以上で、かつ、取得した前記変調方式が所定の多値数に満たない変調方式である場合には、前記第１の受信アンプ制御手段によって前記受信アンプのゲインを制御し、取得した前記移動速度が前記所定の閾値未満で、かつ、取得した前記変調方式が前記所定の多値数を超える変調方式である場合には、前記第２の受信アンプ制御手段によって前記受信アンプのゲインを制御する、受信アンプ制御切換手段と、を備えることを特徴とする。
【００１３】
前記第１の受信アンプ制御手段には、ループフィルタが備えられ、前記移動速度取得手段で取得した前記移動速度が所定の閾値以上である場合には、前記ループフィルタの時定数が相対的に小さくなるように制御され、前記移動速度が所定の閾値未満である場合には、前記ループフィルタの時定数が相対的に大きくなるように制御されることが、移動局（受信装置）の移動状況や移動局の変調方式（変調クラス）に応じて適切に受信アンプのゲイン設定のためのフィードバックループ（ループフィルタ）の時定数の制御を行うことができる受信装置を提供する上で好ましい。
【００１４】
前記第１の受信アンプ制御手段には、ループフィルタが備えられ、前記変調方式取得手段で取得した前記変調方式が所定の多値数に満たない変調方式である場合には、前記ループフィルタの時定数が相対的に小さくなるように制御され、前記変調方式が所定の多値数を超える変調方式である場合には、前記ループフィルタの時定数が相対的に大きくなるように制御されることが、移動局（受信装置）の移動状況や移動局の変調方式（変調クラス）に応じて適切に受信アンプのゲイン設定のためのフィードバックループ（ループフィルタ）の時定数の制御を行うことができる受信装置を提供する上で好ましい。
【発明の効果】
【００１５】
本発明によれば、移動局の移動状況や移動局の変調方式（変調クラス）に応じて、アナログ信号の受信電界強度に基づいて受信アンプのゲインを制御したり、デジタル変換された受信信号の受信電界強度に基づいて前記受信アンプのゲインを制御したりするので、移動局の移動状況や移動局の変調方式に応じて適切に受信アンプのゲイン設定を行うことができる受信制御方法や受信装置を提供することができる。
【発明を実施するための最良の形態】
【００１６】
以下、本発明を実施するための最良の形態を図面に基づき詳細に説明する。
図１は本発明の第１実施形態の受信装置の構成を例示する回路図である。本実施形態の受信装置は、該受信装置の移動速度の高低に応じて受信アンプのゲイン制御に用いる信号を切り換えるように構成されており、図１に示すように、アンテナ１０、バンドパスフィルタ１１、アンプ１２、直交復調器１３、局発信号源１４、バンドパスフィルタ１５、受信アンプ（可変アンプ）１６、直交復調器１８、局発信号源１９、バンドパスフィルタ２０、Ａ／Ｄコンバータ２１、受信ベースバンド部（ＲＸＢＢ）２２、ＣＯＮＴ部２３、Ｌｏｇアンプ（ＬｏｇＡＭＰ）２４、ループフィルタ（可変ローパスフィルタ）２５、スイッチ（ＳＷ）２６、Ｄ／Ａコンバータ２７を具備して成る。
【００１７】
この受信装置は、図６に示す従来例の受信装置におけるＣＯＮＴ部１１３からのアンプ利得設定データに相当するデータと、ＬＯＧアンプ２４で検出した受信レベルからのフィードバック信号とを、スイッチ２６で切り換える構成を採用しており、スイッチ２６の切換信号としては、外部から速度情報を入力されるＣＯＮＴ部２３により、速度が所定の閾値以上になった場合（高速の場合）にはＣＯＮＴ部２３からループ切換信号をスイッチ２６に送出して、ＬＯＧアンプ２４のフィードバックループからの信号が選択されるようにしている。ＬＯＧアンプ２４のフィードバックループ内にあるループフィルタ２５は、ＣＯＮＴ部２３が速度情報に応じて時定数制御信号を送出するため、外部信号により時定数を可変制御することができる。
すなわち、この受信装置では、アンテナ１０からの入力信号は、バンドパスフィルタ１１およびアンプ１２を通り、局発信号源１４からの局発信号により、直交復調器１３にてＩＦ信号にダウンコンバートされた後、バンドパスフィルタ１５を通過して受信アンプ１６にて適正なレベルまで増幅された後に、受信アンプ１６、直交復調器１８およびバンドパスフィルタ２０を通過して、Ａ／Ｄコンバータ２１にてディジタル信号に変換された後に、受信ベースバンド部（ＲＸＢＢ）２２にて復調処理をされる。そして、ＲＸＢＢ２２にて受信レベルを計測するとともに、外部から速度情報を入力されるＣＯＮＴ部２３より、時定数制御信号をループフィルタ２５に入力し、速度信号をＤ／Ａコンバータ２７経由でスイッチ２６に入力するとともに、ループ切換信号をスイッチ２６に入力することにより、受信アンプ１６に選択的に入力された信号に応じて、受信アンプ１６にて利得が設定される。
なお、図１に示す受信装置では、時定数を２段階で制御しているが、変調方式や速度に応じて段階数を増やすことも可能である。
【００１８】
図２は第１実施形態の受信装置に用いる各種信号を例示する図である。図２には、「（N Flame ）受信データ」から成るＮ番目のフレームの受信信号と、「ガードビット  トレーニングシンボル」と「（N+1 Flame ）受信データ」とから成る（Ｎ＋１）番目のフレームの受信信号とを受信する間に、可変ローパスフィルタ２５の波形が、図示のようにＮ番目のフレームの受信信号の終端から（Ｎ＋１）番目のフレームの受信信号の「ガードビット  トレーニングシンボル」の終端までの間は所定のターゲットレベルを超えている場合に、ループ切換信号が図示のように（Ｎ＋１）番目のフレームの受信信号の受信の前にアクティブに切り換わり、時定数制御信号が図示のように「ガードビット  トレーニングシンボル」の開始時から終了時までの間アクティブに切り換わる例を示している。
【００１９】
次に、上記受信装置におけるスイッチ２６の切換条件および時定数制御条件について説明する。
【００２０】
［スイッチ２６の切換条件１；受信装置の移動速度のみを用いる場合］
上記受信装置が移動局における受信装置である場合、アンテナ１０で受信されたアナログ信号をデジタル変換して復調して受信データとして出力する際には、（１）受信装置（移動局）の移動速度が所定の閾値以上（高速）である場合には、スイッチ２６が「ＬＯＧアンプ２４のフィードバックループ」を選択するようなループ切換信号をスイッチ２６に入力することにより、アンテナ１０で受信されたアナログ信号の受信電界強度に基づいて受信アンプ１６のゲインを制御し、（２）前記移動速度が前記所定の閾値未満（低速）である場合には、スイッチ２６が「Ｄ／Ａコンバータのフィードバックループ」を選択するようなループ切換信号をスイッチ２６に入力することにより、前記アナログ信号をデジタル変換した受信信号の受信電界強度に基づいて前記受信アンプのゲインを制御するようにする。
【００２１】
［スイッチ２６の切換条件２；受信装置の変調方式の変調クラスのみを用いる場合］
上記受信装置が移動局における受信装置である場合、アンテナ１０で受信されたアナログ信号をデジタル変換して復調して受信データとして出力する際には、（１）受信装置（移動局）の変調方式（変調クラス）が所定の多値数に満たない変調方式（低変調クラス）である場合には、スイッチ２６が「ＬＯＧアンプ２４のフィードバックループ」を選択するようなループ切換信号をスイッチ２６に入力することにより、アンテナ１０で受信されたアナログ信号の受信電界強度に基づいて受信アンプ１６のゲインを制御し、（２）前記変調方式（変調クラス）が前記所定の多値数を超える変調方式（高変調クラス）である場合には、スイッチ２６が「Ｄ／Ａコンバータのフィードバックループ」を選択するようなループ切換信号をスイッチ２６に入力することにより、前記アナログ信号をデジタル変換した受信信号の受信電界強度に基づいて前記受信アンプのゲインを制御するようにする。なお、前記所定の多値数に満たない変調方式の例としては、例えば、ＢＰＳＫ、ＢＰＳＫ＋が該当し、前記所定の多値数を超える変調方式の例としては、例えば、１０ＱＡＭ、２４ＱＡＭが該当する（以下同様）。
【００２２】
［スイッチ２６の切換条件３；受信装置の移動速度および変調方式を用いる場合］
上記受信装置が移動局における受信装置である場合に、アンテナ１０で受信されたアナログ信号をデジタル変換して復調して受信データとして出力する際には、（１）受信装置（移動局）の移動速度が所定の閾値以上（高速）であり、かつ、受信装置（移動局）の変調方式（変調クラス）が前記所定の多値数に満たない変調方式（低変調クラス）である場合には、スイッチ２６が「ＬＯＧアンプ２４のフィードバックループ」を選択するようなループ切換信号をスイッチ２６に入力することにより、アンテナ１０で受信されたアナログ信号の受信電界強度に基づいて受信アンプ１６のゲインを制御し、（２）受信装置（移動局）の移動速度が所定の閾値未満（低速）であり、かつ、受信装置（移動局）の変調方式（変調クラス）が前記所定の多値数を超える変調方式（高変調クラス）である場合には、スイッチ２６が「Ｄ／Ａコンバータのフィードバックループ」を選択するようなループ切換信号をスイッチ２６に入力することにより、前記アナログ信号をデジタル変換した受信信号の受信電界強度に基づいて前記受信アンプのゲインを制御するようにする。
【００２３】
［時定数制御条件１；受信装置の移動速度のみを用いる場合］
受信装置（移動局）の移動速度が所定の閾値以上（高速）である場合には、時間が短くなるようにループフィルタ２５の時定数を制御（ループフィルタ２５の時定数が相対的に小さくなるように制御）し、前記移動速度が前記所定の閾値未満（低速）である場合には、時間が長くなるようにループフィルタ２５の時定数を制御（ループフィルタ２５の時定数が相対的に大きくなるように制御）する。
【００２４】
［時定数制御条件２；受信装置の変調方式のみを用いる場合］
受信装置（移動局）の変調方式（変調クラス）が所定の多値数を超える変調方式（高変調クラス）である場合には、時間が長くなるようにループフィルタ２５の時定数を制御（ループフィルタ２５の時定数が相対的に大きくなるように制御）し、受信装置（移動局）の変調方式（変調クラス）が前記所定の多値数に満たない変調方式（低変調クラス）である場合には、時間が短くなるようにループフィルタ２５の時定数を制御（ループフィルタ２５の時定数が相対的に小さくなるように制御）する。
なお、受信装置の変調方式としては、変調方式０に対応するＢＰＳＫ、変調方式１に対応するＢＰＳＫ＋、変調方式２に対応するＱＰＳＫ、変調方式３に対応するＱＰＳＫ＋、変調方式４に対応する８ＰＳＫ、変調方式５に対応する８ＰＳＫ＋、変調方式６に対応する１２ＱＡＭ、変調方式７に対応する１６ＱＡＭ、変調方式８に対応する２４ＱＡＭがあり、これらの受信装置の変調方式の変調方式に関する情報は、外部から入力するようにしても、受信信号から抽出するようにしてもよい。
【００２５】
第１実施形態の受信装置および第１実施形態の受信制御方法によれば、移動局における受信装置に含まれる自動利得制御回路において、受信信号の受信電界強度（例えばＲＳＳＩ信号）に基づいて受信アンプ１６のゲインを制御する際に、受信装置（移動局）の移動速度に基づいて、高速移動時にはレベル変動に追従可能な「ＬＯＧアンプ２４のフィードバックループ」を使用し、低速移動時には「Ｄ／Ａコンバータのフィードバックループ」を使用するようにフィードバックループを切り換えることにより、低速移動時は勿論、高速移動時においてもＡ／Ｄコンバータ２１に入力レベルの最適化を図っているため、受信装置（移動局）の移動速度に応じた最適性能を発揮させることができる。
また、第１実施形態の受信装置および第１実施形態の受信制御方法によれば、受信装置（移動局）の移動速度に基づいて「ＬＯＧアンプ２４のフィードバックループ」の時定数を制御することにより、低速移動時には安定したフィードバックループを実現し、高速移動時にはレベル変動に追従するようにすることができる。
さらに、第１実施形態の受信装置および第１実施形態の受信制御方法によれば、適応変調方式を採用している場合に、変調方式が低変調方式の場合に「ＬＯＧアンプ２４のフィードバックループ」を使用し、変調方式が高変調方式の場合に「Ｄ／Ａコンバータのフィードバックループ」を使用するようにフィードバックループを切り換えるとともに、受信装置（移動局）の変調方式（変調クラス）に基づいて「ＬＯＧアンプ２４のフィードバックループ」の時定数を変化させて変調方式に依存する振幅変動分の積分時間を可変制御することにより、一定の積分時間で受信レベルを検出する場合に変調方式により異なる検出レベル精度を揃えて、同一検出レベル精度を確保することが可能になるので、変調方式によるフィードバックループの不安定性を低減することができる。
【００２６】
なお、上記第１実施形態の受信制御方法は、移動局における受信装置や、適応変調方式を用いた通信を行う受信装置や、適応変調方式を用いた通信を行う移動局における受信装置の他、適応変調方式を用いた通信を行う通信装置にも適用することができる。
【００２７】
図３は本発明の第２実施形態の受信装置の構成を例示する回路図である。本実施形態の受信装置は、該受信装置の移動速度の高低に応じて受信アンプのゲイン制御に用いる信号を切り換えるように構成されており、図３に示すように、アンテナ１０、バンドパスフィルタ１１、アンプ１２、直交復調器１３、局発信号源１４、バンドパスフィルタ１５、受信アンプ（可変アンプ）１６、直交復調器１８、局発信号源１９、バンドパスフィルタ２０、Ａ／Ｄコンバータ２１、受信ベースバンド部（ＲＸＢＢ）２２、ＣＯＮＴ部２３、Ｌｏｇアンプ（ＬｏｇＡＭＰ）２４、ループフィルタ（可変ローパスフィルタ）２５、スイッチ（ＳＷ）２６、演算回路（ＣＡＬ）２８、セレクタ（ＳＥＬ）２９を具備して成る。
【００２８】
本実施形態の受信装置の第１実施形態の受信装置との相違点は、第１実施形態の受信装置では外部から入力されることを前提にしていた「受信装置（移動局）の移動速度を示す速度情報」を、受信装置内部で生成（推定）するように変更したことである。以下に、速度情報の検出方法（推定方法）を図４に基づいて説明する。
【００２９】
図４は第２実施形態の受信装置に用いる各種信号を例示する図である。図４には、「トレーニングシンボル（ヘッド部）」と、「（N+1 Flame ）受信データ」と、「トレーニングシンボル（テール部）」とから成る（Ｎ＋１）番目のフレームの受信信号を受信する間に、図示のように「トレーニングシンボル（ヘッド部）」および「トレーニングシンボル（テール部）」の間だけアクティブに切り換わる波形を有するトレーニングシンボルタイミング信号をＬｏｇアンプ２４の検波信号とともに演算回路（ＣＡＬ）２８に入力することにより、受信スロットのトレーニングシンボルのヘッド部後端およびテール部後端間でのレベル変動（可変ローパスフィルタ２５の瞬時ｔ１における受信レベルおよび瞬時ｔ２における受信レベルの差分値である受信レベル差から求める）を検出して、レベル変動が所定の閾値以上である場合（レベル変動が大きい場合）には、受信装置（移動局）の移動速度は高速であると推定し、レベル変動が所定の閾値未満である場合（レベル変動が小さい場合）には、受信装置（移動局）の移動速度は低速であると推定する。そして、受信装置（移動局）の移動速度が低速である場合には、ＣＯＮＴ部２３の出力信号を導くフィードバックループが選択されるようにスイッチ（ＳＷ）２６を切り換え、受信装置（移動局）の移動速度が高速である場合には、「ＬＯＧアンプ２４のフィードバックループ」が選択されるようにスイッチ（ＳＷ）２６を切り換えるとともに、演算回路（ＣＡＬ）２８の出力信号およびＣＯＮＴ部２３の出力信号を入力されるセレクタ（ＳＥＬ）２９から出力する時定数制御信号をループフィルタ（可変ローパスフィルタ）２５に供給することにより、「ＬＯＧアンプ２４のフィードバックループ」の時定数を可変制御する。
【００３０】
本実施形態の受信装置におけるスイッチ２６の切換条件および時定数制御条件は、第１実施形態の受信装置と同様である。
【００３１】
第２実施形態の受信装置および第２実施形態の受信制御方法によれば、上記第１実施形態の受信装置および第１実施形態の受信制御方法における効果と同様の効果が得られる。その上、第２実施形態の受信装置および第２実施形態の受信制御方法によれば、フィードバックループを切り換えるために外部から速度情報を入力する必要がないため、回路構成を簡略化できるという効果も得られる。
【図面の簡単な説明】
【００３２】
【図１】本発明の第１実施形態の受信装置の構成を例示する回路図である。
【図２】第１実施形態の受信装置に用いる各種信号を例示する図である。
【図３】本発明の第２実施形態の受信装置の構成を例示する回路図である。
【図４】第２実施形態の受信装置に用いる各種信号を例示する図である。
【図５】従来例の受信装置の構成を例示する回路図である。
【図６】従来例の受信装置の構成を例示する回路図である。
【符号の説明】
【００３３】
１０  アンテナ
１１  バンドパスフィルタ
１２  アンプ
１３  直交復調器
１４  局発信号源
１５  バンドパスフィルタ
１６  受信アンプ（可変アンプ）
１８  直交復調器
１９  局発信号源
２０  バンドパスフィルタ
２１  Ａ／Ｄコンバータ
２２  受信ベースバンド部（ＲＸＢＢ）
２３  ＣＯＮＴ部
２４  Ｌｏｇアンプ（ＬｏｇＡＭＰ）
２５  ループフィルタ
２６  スイッチ（ＳＷ）
２７  Ｄ／Ａコンバータ
２８  演算回路（ＣＡＬ）
２９  セレクタ（ＳＥＬ）
【図１】
2008211566.tif 000003
【図２】
2008211566.tif 000004
【図３】
2008211566.tif 000005
【図４】
2008211566.tif 000006
【図５】
2008211566.tif 000007
【図６】
2008211566.tif 000008